(57)【要約】【課題】弁座にフロート弁の溶接部がかかることを防止することにより、安定したシール性を発揮し、排水配管からの空気による床上空間の汚染を防止することができる排水トラップを提供すること。【解決手段】排水が流入するフロートハウジング１と、該フロートハウジング１内に配設されたフロート弁２と、該フロート弁２が着座する弁座３とを備え、前記フロート弁２を１対の半球体２ａ、２ｂを接合した中空の金属球により形成するとともに、一方の半球体２ｂを他方の半球体２ａより厚肉に形成する。【選択図】  図１
2004226361.tif 000002
【特許請求の範囲】
【請求項１】
排水が流入するフロートハウジングと、該フロートハウジング内に配設されたフロート弁と、該フロート弁が着座する弁座とを備えた排水トラップにおいて、前記フロート弁を、一方を他方より厚肉に形成した半球体を接合した中空の金属球により形成したことを特徴とする排水トラップ。
【請求項２】
弁座をゴム状弾性体により形成するとともに、弁座のフロート弁との当接部を内側に１０°〜３０°傾斜するように形成したことを特徴とする請求項１記載の排水トラップ。
【請求項３】
弁座を、本体部と、該本体部から内周側に延出した舌片状の可撓性円環部とで構成し、該可撓性円環部にフロート弁が着座するようにしたことを特徴とする請求項１又は２記載の排水トラップ。
【発明の詳細な説明】
【０００１】
【発明の属する技術分野】
本発明は、排水トラップに関し、特に、弁座にフロート弁の溶接部がかかることを防止することにより、安定したシール性を発揮し、排水配管からの空気による床上空間の汚染を防止することができる排水トラップに関するものである。
【０００２】
【従来の技術】
例えば、原子力発電所等には、床面に排出された流体が流れ込むように、多くの床ドレンファンネルが設置されている。
そして、この床ドレンファンネルには、床上の空間が排水配管からの空気の流れによって汚染されないように、床面と排水配管との連通を遮断する排水トラップが設けられている。
【０００３】
この排水トラップの１つとして、排水が流入するフロートハウジングと、該フロートハウジング内に配設されたフロート弁と、該フロート弁が着座する弁座とを備え、前記フロート弁を中空の金属球により形成した排水トラップが提案されている（例えば、特許文献１参照）。
【０００４】
【特許文献１】
特開２００２−１１６２８９号公報
【０００５】
【発明が解決しようとする課題】
ところで、上記従来の排水トラップにおいては、前記フロート弁を１対の半球体を溶接した中空の金属球により形成するが、フロート弁の溶接部は通常の部分に比較して凹凸が出ることから、弁座にこの溶接部がかかったときには、シール性が低下して、床上空間に排水配管からの空気漏れが発生するという問題を有している。
【０００６】
本発明は、上記従来の排水トラップが有する問題点に鑑み、弁座にフロート弁の溶接部がかかることを防止することにより、安定したシール性を発揮し、排水配管からの空気による床上空間の汚染を防止することができる排水トラップを提供することを目的とする。
【０００７】
【課題を解決するための手段】
上記目的を達成するため、本発明の排水トラップは、排水が流入するフロートハウジングと、該フロートハウジング内に配設されたフロート弁と、該フロート弁が着座する弁座とを備えた排水トラップにおいて、前記フロート弁を、一方を他方より厚肉に形成した半球体を接合した中空の金属球により形成したことを特徴とする。
【０００８】
この排水トラップは、フロート弁を、一方を他方より厚肉に形成した半球体を接合した中空の金属球により形成したことから、フロート弁の姿勢を常に厚肉の半球体が下になるようにして、弁座にフロート弁の溶接部がかからないようにすることができ、これにより、安定したシール性を発揮して、排水配管からの空気漏れによる床上空間の汚染を防止することができる。
【０００９】
この場合において、弁座をゴム状弾性体により形成するとともに、弁座のフロート弁との当接部を内側に１０°〜３０°傾斜するように形成することができる。
【００１０】
これにより、フロート弁の座りを良くしてシール性をさらに向上させることができる。
【００１１】
また、弁座を、本体部と、該本体部から内周側に延出した舌片状の可撓性円環部とで構成し、該可撓性円環部にフロート弁が着座するようにすることができる。
【００１２】
これにより、フロート弁の座りを一層良くしてシール性をさらに向上させることができる。
【００１３】
【発明の実施の形態】
以下、本発明の排水トラップの実施の形態を図面に基づいて説明する。
【００１４】
図１〜図３に、本発明の排水トラップの一実施例を示す。
この排水トラップは、排水が流入するフロートハウジング１と、該フロートハウジング１内に配設されたフロート弁２と、該フロート弁２が着座する弁座３とを備え、前記フロート弁２を１対の半球体２ａ、２ｂを接合した中空の金属球により形成するとともに、一方の半球体２ｂを他方の半球体２ａより厚肉に形成するようにしている。
この排水トラップは、床ドレンファンネル４の排水配管４１に直に設置されるもので、床ドレンファンネル４は、図１に示すように、床面５の凹部５１に周設されている円筒のファンネル本体４２と、ファンネル本体４２に被せられている有孔のファンネル蓋４３と、凹部５１の底部から一部が突出するように埋設された排水配管４１とを備えている。
【００１５】
フロートハウジング１は、フロート弁２を収容する円筒状のハウジング本体１１と、該ハウジング本体１１の上部に螺着される蓋体１２とを備え、ハウジング本体１１の下部には弁座３が固定されている。蓋体１２の中央部には、通水口１３が形成されている。
ハウジング本体１１の周壁には、ファンネル蓋４３を介してファンネル本体４２に落ちた排水が流入するための通水口１３が複数形成されており、また、ハウジング本体１１の下部は排水配管４１の上部に挿入されるとともに、その外周に形成された溝部１４には排水配管４１の上端が嵌合されている。
【００１６】
フロート弁２は、耐食性に優れたステンレスからなり、１対の半球体２ａ、２ｂを溶接することにより、比重が水より軽い中空の球形に形成されている。
そして、溶接される１対の半球体２ａ、２ｂは、例えば、肉厚が１．０ｍｍ：０．８ｍｍとなるように、一方の半球体２ｂがもう一方の半球体２ａよりも厚肉に形成されている。
【００１７】
弁座３は、図３に示すように、交換可能なリング状のものからなり、弁座ホルダー３１を介してハウジング本体１１に水平に固定されている。
この弁座３は、シリコンゴム等のゴム状弾性体により形成されるとともに、弁座３のフロート弁２との当接部３２が内側に１０°〜３０°、好ましくは、約２０°傾斜するように形成されている。
これにより、フロート弁２の座りを良くしてシール性をさらに向上することができる。
そして、特に、弁座３をシリコンゴムにより形成することにより、弁座３の耐久性を向上させることができる。
【００１８】
ところで、本実施例においては、弁座３をリング状に形成したが、このほか、図４に示す変形例のように、弁座３を、本体部３ａと、この本体部３ｂから内周側に延出した舌片状の可撓性円環部３ｂとで構成し、この可撓性円環部３ｂにフロート弁２が着座するように構成することができる。
この可撓性円環部３ｂは、薄肉の舌片状に形成されているため、着座したフロート弁２に合わせて変形し、これにより、フロート弁２の座りを一層良くしてシール性をさらに向上させることができる。
【００１９】
かくして、本実施例の排水トラップは、フロート弁２を半球体２ａ、２ｂを接合した中空の金属球により形成するとともに、一方の半球体２ｂを他方の半球体２ａより厚肉に設けることから、フロート弁２の姿勢を常に厚肉の半球体２ｂが下になるようにして、弁座３にフロート弁２の溶接部２ｃがかからないようにすることができ、これにより、安定したシール性を発揮して、排水配管４１からの空気漏れによる床上空間の汚染を防止することができる。
【００２０】
以上、本発明の実施例を説明したが、本発明の排水トラップの構成は、この実施例の記載に限定されるものではなく、その趣旨を逸脱しない範囲において適宜に変更することが可能である。
【００２１】
【発明の効果】
本発明の排水トラップによれば、フロート弁を、一方を他方より厚肉に形成した半球体を接合した中空の金属球により形成したことから、フロート弁の姿勢を常に厚肉の半球体が下になるようにして、弁座にフロート弁の溶接部がかからないようにすることができ、これにより、安定したシール性を発揮して、排水配管からの空気漏れによる床上空間の汚染を防止することができる。
【００２２】
また、弁座をゴム状弾性体により形成するとともに、弁座のフロート弁との当接部を内側に１０°〜３０°傾斜するように形成することにより、フロート弁の座りを良くしてシール性をさらに向上させることができる。
【００２３】
また、弁座を、本体部と、該本体部から内周側に延出した舌片状の可撓性円環部とで構成し、該可撓性円環部にフロート弁が着座するようにすることにより、フロート弁の座りを一層良くしてシール性をさらに向上させることができる。
【図面の簡単な説明】
【図１】本発明の排水トラップの一実施例を示す断面図である。
【図２】同実施例の排水トラップを示し、（ａ）は蓋体の部分平面図、（ｂ）は同一部断面正面図、（ｃ）は排水トラップの一部断面正面図、（ｄ）はハウジング本体の一部断面平面図、（ｅ）は同一部断面正面図、（ｆ）はフロート弁の正面図である。
【図３】弁座を示し、（ａ）は平面図、（ｂ）は一部断面正面図である。
【図４】弁座の変形例を示し、（ａ）は断面図、（ｂ）は（ａ）のＡ部の拡大図である。
【符号の説明】
１    フロートハウジング
１１  ハウジング本体
１２  蓋体
１３  通水口
１４  溝部
２    フロート弁
２ａ  半球体
２ｂ  半球体
２ｃ  溶接部
３    弁座
３１  弁座ホルダー
３２  当接部
４    床ドレンファンネル
４１  排水配管
４２  ファンネル本体
４３  ファンネル蓋
５    床面
５１  凹部
【図１】
2004226361.tif 000003
【図２】
2004226361.tif 000004
【図３】
2004226361.tif 000005
【図４】
2004226361.tif 000006